(57)【特許請求の範囲】
【請求項１】
米を炊飯する炊飯部と、前記炊飯部内に着脱自在に収納される鍋と、前記鍋の上面開口部を覆う蓋体と、前記炊飯部に給水する給水部と、前記炊飯部に給米する給米部と、前記蓋体に有した水投入孔と、前記蓋体に有した米投入孔と、前記水投入孔を開閉する水投入弁と、前記米投入孔を開閉する米投入弁と、前記米投入弁と前記水投入弁の少なくとも一方を自在に開閉する１つの駆動手段と、前記炊飯部、前記給水部、前記給米部および前記駆動手段を制御する制御部とを備え、前記駆動手段の回転運動を伝達される駆動伝達手段と、前記駆動伝達手段の回転運動を略鉛直運動に変換する水投入弁駆動手段と、前記駆動伝達手段の回転運動を略鉛直運動に変換する米投入弁駆動手段とを備えた自動炊飯器。
【請求項２】
水投入弁の開閉を検知する水投入弁開閉検知手段と、米投入弁の開閉を検知する米投入弁開閉検知手段とを有する請求項１に記載の自動炊飯器。
【請求項３】
水投入時は水投入弁を開放し、米投入弁を閉じた請求項１〜２のいずれか１項に記載の自動炊飯器。
【請求項４】
制御部が、水投入弁を駆動手段が開放するときに米投入弁が開放しないように駆動伝達手段の回転位置を静止させる請求項３記載の自動炊飯器。
【請求項５】
給水部と水投入孔とを結ぶ給水経路を備え、水投入弁は水の給水を停止後、水投入完了直後の給水経路内に存在する残水を鍋内に投入が完了してから水投入弁を閉めるべく、遅延して閉じる請求項１〜４のいずれか１項に記載の自動炊飯器。
【請求項６】
米投入時は米投入弁を開放し、水投入弁は閉じた請求項１〜２のいずれか１項に記載の自動炊飯器。
【請求項７】
制御部が、米投入弁駆動手段が開放するときに水投入弁駆動手段が開放しないように駆動伝達手段の回転位置を静止させる請求項６記載の自動炊飯器。
【請求項８】
炊飯時、保温時、給米時は、水投入弁を閉じた請求項１〜７のいずれか１項に記載の自動炊飯器。
【発明の詳細な説明】
【０００１】
【発明の属する技術分野】
本発明は、一般家庭に使用する自動炊飯器に関するものである。
【０００２】
【従来の技術】
以下に従来の自動炊飯器の構成について説明する。図９において、自動炊飯器１は、少なくとも炊飯したい量の米を収納することができる貯米部２、米を計量する米計量部３、米計量部３から供給された米をとぐ米とぎ部４、米とぎ部４でとがれた米を炊飯する炊飯部５、米とぎ部４と炊飯部５を接続する米搬送部６を備えている。
【０００３】
炊飯部５内には米と水を入れる鍋７が着脱自在に収納されている。鍋７の上面には鍋７全面を覆うように蓋体８が設置されている。この外蓋８は一方をヒンジ軸９により回動自在に軸支されており、外蓋８はヒンジ軸９を中心に、開放するのである。また鍋７に給水するための給水手段１０が設置されており、水は給水手段１０から給水経路１１、水投入孔１２へと順に水が鍋７に給水されていく。さらに、炊飯時に上方から米を加熱するための加熱手段である加熱板１８と、加熱板１８を発熱させるための蓋コイル１９が設置されているのである。鍋７の底部を加熱する加熱手段として、底コイル２０が鍋７底付近に配設されており、鍋７の側面を加熱するための側面コイル２１も配設されているのである。
【０００４】
また、鍋７に給米するための給米手段１３が設置されており、米は給米手段１３から米搬送部６、米投入孔１５へと順に鍋７に給米される。ここで、水投入孔１２、米投入孔１５にはそれぞれ、水投入逆止弁１６、米投入逆止弁１７が設置されており、鍋７内に米や水が投入される時は水投入逆止弁１６、米投入逆止弁１７は水投入孔１２と米投入孔１５を開放して、水、米がそれぞれ投入される。逆に水、米を投入する時以外は、各々の逆止弁により各経路内への蒸気やおねばの浸入を防止しているのである。
【０００５】
以上の自動炊飯器１を使用する動作を簡単に説明すると、まず鍋７をセットし、外蓋８を閉める。そして炊飯量を設定して炊飯スタートを行うとまず米計量部３が設定量の米を計測する。計測された米は米とぎ部４に送られて研米される。米とぎ部４にて研米された米は米搬送部６を通り、米投入孔１５の米投入逆止弁１７を押し下げ、炊飯部５内の鍋７内に投入される。
【０００６】
所定量の米が投入されると次に自動給水が開始する。そして給水手段１０により供給される水は水投入孔１２の水投入逆止弁１６を押し下げ鍋７内に投入される。
【０００７】
所定量の米と水が鍋７に投入されると炊飯が始まる、というのが、炊飯動作の一般的なものである。
【０００８】
【発明が解決しようとする課題】
しかしながら、前記の従来の技術の構成においては、逆止弁は自在に水投入孔および米投入孔の開閉を行うことはできず、給水時は水投入孔のみが開放し、給米時は米投入孔のみが開放する。また炊飯時、保温時等の給水、給米時以外は米投入孔、水投入孔は双方閉じられている状態にすることしかできなかった。この構成では、例えば送風機などにより米を鍋へ供給する場合、米搬送に必要な風圧は鍋内に充満し、蓋体に設けられた蒸気孔から空気が外部に放出することで鍋内部の圧力を減らすことになるが、蒸気孔はふきこぼれ、保温の関係であまり大きくすることができないため、鍋内の圧力は一時的にはかなりの圧力がかかった状態になってしまう。このために蓋体変形の促進や、蓋体のフック部の変形につながってしまうという問題点があった。
【０００９】
本発明は、以上のような従来の炊飯器が有している課題を解決するものであり、米投入弁、水投入孔を自在に開閉することを目的とするものである。
【００１０】
上記のような問題点では、水投入孔を開放することで、空気が水投入孔からも放出し、鍋内の圧力を下げることにより解消することが可能になるのである。加えて、空気が水経路内を通過することで、水経路内の乾燥をも可能になるのである。
【００１１】
【課題を解決するための手段】
前記従来の課題を解決するために本発明の自動炊飯器は、水投入孔を開閉する水投入弁と、米投入孔を開閉する米投入弁と、前記米投入弁と前記水投入弁の少なくとも一方を自在に開閉する１つの駆動手段を備え、前記駆動手段の回転運動を伝達される駆動伝達手段と、前記駆動伝達手段回転運動を略鉛直運動に変換する水投入弁駆動手段と、前記駆動伝達手段回転運動を略鉛直運動に変換する米投入弁駆動手段とを備えたものである。
【００１２】
これによって、駆動手段が、水投入弁、米投入弁を各々自在に開閉し、水投入弁、米投入弁の開閉状態を炊飯および保温における最適条件に設定することができるものである。さらに、駆動伝達手段により米投入弁および、水投入弁の開閉が自在に操作できる自動炊飯器を提供することができる。
【００１３】
【発明の実施の形態】
請求項１記載の発明は、米を炊飯する炊飯部と、前記炊飯部内に着脱自在に収納される鍋と、前記鍋の上面開口部を覆う蓋体と、前記炊飯部に給水する給水部と、前記炊飯部に給米する給米部と、前記蓋体に有した水投入孔と米投入孔と、前記水投入孔を開閉する水投入弁と、前記米投入孔を開閉する米投入孔と、前記米投入弁と前記水投入弁の少なくとも一方を自在に開閉する１つの駆動手段と、前記炊飯部、前記給水部、前記給米部および前記駆動手段を制御する制御部とを備えたことにより、給米工程で水投入弁を開放し、負荷のかからない給米が可能になるのである。
【００１４】
また、給水工程においては、例えば給水時に米投入孔を開放できる構成にした場合、水投入時の鍋内の空気が米投入孔から外部に放出できるために、蒸気孔からの放出が必要なくなる。このことで、蒸気孔と水投入孔を共用にすることができ、蓋体のコンパクト化が実現するのである。
【００１５】
加えて保温工程に米投入孔を開放し、風を送り、余分な水分を飛ばし、保温性能の向上をも可能になるのである。
【００１６】
以上のように米投入孔および、水投入孔を自在に開閉することで、給米および給水性能の向上のみならず、保温性能の向上、製品のコンパクト化を実現できる自動炊飯器を提供することができる。
【００１７】
さらに、駆動手段の回転運動を伝達される駆動伝達手段と、前記駆動伝達手段回転運動を略鉛直運動に変換する水投入弁駆動手段と、前記駆動伝達手段回転運動を略鉛直運動に変換する米投入弁駆動手段とを備えたことにより、駆動伝達手段により米投入弁および、水投入弁の開閉が自在に操作できる自動炊飯器を提供することができる。
【００１８】
請求項２記載の発明は、特に請求項１に記載の発明において、水投入弁の開閉を検知する水投入弁開閉検知手段と、米投入弁の開閉を検知する米投入弁開閉検知手段とを有することにより、検知手段が各々の投入弁の開閉を認識するため、駆動手段が１個の場合においても各々の投入弁の開閉状態を認識する自動炊飯器を提供することできるのである。
【００１９】
請求項３記載の発明は、特に請求項１〜２のいずれか１項に記載の発明において、水投入時は水投入弁を開放し、米投入弁を閉じたことにより、水投入時の鍋や水同士の跳ね返りによる水しぶきが給米経路に浸入することを防止し、給米機能が向上した自動炊飯器を提供することができる。
【００２０】
請求項４記載の発明は、特に請求項３記載の発明において、制御部が、水投入弁駆動手段が開放するときに米投入弁駆動手段が開放しないように駆動伝達手段の回転位置を静止させることにより、水投入時の鍋や水同士の跳ね返りによる水しぶきが給米経路に浸入することを防止し、給米機能が向上した自動炊飯器を提供することができる。
【００２１】
請求項５記載の発明は、特に請求項１〜４のいずれか１項に記載の発明において、水投入弁は水の給水停止時より遅延して閉じることにより、水投入完了直後の給水経路内に存在する残水を鍋内に投入が完了してから水投入弁を閉めることができ、給水時以外は給水経路の残水を無くすことができる自動炊飯器を提供することができる。
【００２２】
請求項６記載の発明は、特に請求項１〜２のいずれか１項に記載の発明において、米投入時は米投入弁を開放し、水投入弁は閉じたことにより、米投入時における、砕米や米糠が給水経路内に侵入することを防止した自動炊飯器を提供することができる。
【００２３】
請求項７記載の発明は、特に請求項６に記載の発明において、制御部が、米投入弁駆動手段が開放するときに水投入弁駆動手段が開放しないように駆動伝達手段の回転位置を静止させることにより、米投入時における、砕米や米糠が給水経路内に侵入することを防止した自動炊飯器を提供することができる。
【００２４】
請求項８記載の発明は、特に請求項１〜７のいずれか１項に記載の発明において、炊飯時、保温時、給米時は、水投入弁を閉じたということは、炊飯時、保温時、給米時以外では水投入弁が開放することであり、これらのことにより水投入経路の乾燥を保持することができる自動炊飯器を提供することができる。
【００２５】
【実施例】
以下、本発明の実施例について、図面を参照しながら説明する。
【００２６】
（実施例１）
図１〜３を参照し、実施例１を説明する。自動炊飯器３０は、少なくとも炊飯したい量の米を収納することができる貯米部３１、米を計量する米計量部３２、米計量部３２から供給された米をとぐ米とぎ部３３、米とぎ部３３でとがれた米を炊飯する炊飯部３４、米とぎ部３３と炊飯部３４を接続する米搬送部３５を備えている。水タンク３６は水タンク収納部３７に着脱自在に収納されて、水タンク３６の底にはインペラー３８が設けられ、インペラー３８の下方部にはインペラー３８を回転させるモーター３９が配設されている。
【００２７】
４０は制御部で、米計量部３２、米とぎ部３３、米搬送部３５、給水部であるインペラー３８、炊飯部３４を制御する。
【００２８】
米とぎ部３３は、米計量部３２で計量された米を収納する米収納容器４１、米収納容器４１内で回転自在に配設された回転羽根４２、回転羽根４２を駆動する米とぎ駆動手段４３を備えている。
【００２９】
米搬送部３５は、米搬送ファン（図示しない）が生み出す空気流により米を炊飯部３４へ搬送する。搬送された米を鍋４５に投入するための米投入孔６５と米投入孔６５を開閉する米投入弁６４が設けられている。
【００３０】
炊飯部３４の詳細を説明すると炊飯部３４は米を調理する着脱自在の鍋４５、鍋４５上方を覆うように設置されている蓋体４６、鍋４５を設置する本体４７で構成されている。蓋体４６は一方をヒンジ軸４８に軸支されており、蓋体４６開放時はヒンジ軸４８を中心にして回動しながら蓋体４６は開放する。また蓋体４６には炊飯中の蒸気を炊飯部３４外に排出する蒸気排出部４９を設けていると共に、ご飯を上方から加熱するための加熱板５０が設定されており、加熱板５０を加熱するための加熱手段として蓋コイル５１が加熱板５０近傍に設置されている。鍋４５を加熱する加熱手段としては鍋４５底部を加熱する底コイル５２、側面を加熱する側面コイル５３が鍋４５の外面形状に沿うように設定されており、炊飯は底コイル５２、側面コイル５３、蓋コイル５１の全ての加熱手段を使用して炊飯を行うのである。また鍋４５の底面中央には底センサー５４が鍋４５に圧接される状態で設置されており、炊飯中の鍋４５の温度を常に測定しているのである。
【００３１】
この炊飯部３４には給水経路５６、水投入弁５７、水投入孔５８が設けられている。また水投入孔５８は加熱板５０に設けられており、この水投入孔５８の開閉を行うための水投入弁５７が設置されているのである。水投入孔５８の周囲には水投入パッキン６０が設置されており、水投入孔５８と水投入弁５７とのシールを行っている。この水投入弁５７が水投入孔５８を開閉する構成としては、水投入弁５７が上下方向に動作し、水投入パッキン６０と水投入弁５７の間に隙間ができることにより開閉しているのである。水投入弁５７を上下方向に動作させる構成としては、駆動手段である駆動モーター６１の回転運動を上下方向の運動に変化させるわけであるが、これらはまず、駆動モーター６１の回転を駆動伝達手段である水投入弁駆動歯車６２に伝える。この水投入駆動伝達歯車６２は側面に凸部（網掛け部）を設け、この凸部と底面部を傾斜面で繋いた形状をしているのである。この水投入弁駆動歯車６２は軸が鉛直方向になるように設置されており水平方向に回転する。また中央部分が軸支され、軸支された位置を中心に鉛直方向に運動する弁駆動手段である水投入弁駆動レバー６３が水投入弁駆動歯車６２付近に設置されており、水投入弁駆動レバー６３の一方が水投入弁駆動歯車６２の側面に形成された凸部により略鉛直方向に動作し、水平方向の回転運動を鉛直方向の回転運動に変化させるのである。そして、水投入弁駆動レバー６３のもう一方側が水投入弁５７を動作させることにより、付勢バネ６６により常に上方に付勢されている水投入弁５７が上下運動をするのである。
【００３２】
米投入弁６４も水投入弁５７と同様の機構により動作し、米投入孔６５を開閉しているので、詳細な説明は省略する。
【００３３】
上記構成において、動作を説明する。使用者が米を貯米部３１内に投入し、炊飯したい米の量を入力した後、運転開始ボタン（図示しない）を押すと、自動炊飯器３０の運転が開始する。
【００３４】
運転が開始されると、制御部４０は、使用者が設定した炊飯量に最適な量の水を、給水経路５６を介して炊飯部３４の鍋４５へ供給する。
【００３５】
次に、制御部４０は米計量部３２を動作させる。そして、米計量部３２は、所定量の米を米収納容器４１へ供給する。
【００３６】
所定量の米が米収納容器４１に供給されると、制御部４０は米とぎ工程プログラムに従って米とぎ駆動手段４３を動作させる。米研ぎ駆動手段４３が動作することにより回転羽根４２が回転し、米収納容器４１内に収納された米をとぐ米とぎ工程が行われる。
【００３７】
米とぎ工程が終了すると、制御部４０は米搬送工程プログラムに従って米搬送ファンおよび米投入弁６４を動作させる。そして、米とぎ部３３でとがれた米を、米搬送部３５を介して炊飯部３４の鍋４５へ供給する。
【００３８】
このようにして、所定量の水と米が鍋４５へ供給されると、制御部４０は米に水を吸収させる浸漬工程プログラムおよび炊飯工程プログラムに従って炊飯部３４を動作させる。炊飯部３４が動作することにより、使用者が炊飯したい量の米が炊飯されることになる。所定量の米が炊飯されると、制御部４０は、ご飯を保温する保温工程に入る。こうして、ご飯が炊きあがる、というような自動炊飯器が可能になるのである。
【００３９】
以上のように水投入弁５７、米投入弁６４を駆動手段により動作させることにより、水投入孔５８、米投入孔６５の開閉が自在にできるようになり、水投入孔５８、米投入孔６５をどちらも同時に開放したり、閉じたりすることができる。あるいは、水投入孔５８のみを開放し、米投入孔６５を閉じたり、米投入孔６５のみを開放し、水投入孔５８を閉じたりすることができる。以上のような開閉状態が炊飯工程のどの工程においても、各々の投入孔の開閉が自在にできるようになるのである。これらの各々の開閉状態での効果は後に詳細を説明する。
【００４０】
また、本実施例においては弁駆動手段の動作をモーターの回転を歯車で上下方向の運動に変換して動作させていたが、駆動方法については、モーター方式だけに限定するものではなく、投入孔を開閉する駆動手段を有していればよい。
【００４１】
また、本実施例は水投入弁５７、米投入弁６４にそれぞれ駆動手段を設けて説明したが、水投入弁５７および米投入弁６４の駆動手段は図４に示すように、水駆動伝達歯車６２と米駆動伝達歯車６８を設け、水投入用レバー６３、米投入用レバー６７のそれぞれの動作ができるようしている。このように、一つの駆動手段で水投入弁駆動レバー６３と米投入弁駆動レバー６７の両方を動作させ、水投入孔５８と米投入孔６５の開閉を行ってもよい。
【００４２】
また、給米部は米とぎ部３３を持たず、貯米部３１と米計量部３２、米搬送部３５のみを備えた無洗米対応の構成のものであってもよい。
【００４３】
また、自動炊飯器３０の動作の説明では、炊飯部３４に水を供給してから米を供給するようにしたが、米を供給してから水を供給してもよいし、水と米を同時にまたは交互に供給してもよい。
【００４４】
（実施例２）
図５、６を参照し実施例２を説明する。自動炊飯器の基本構成としては、前述の構成と同様のため説明は省略する。炊飯部７０には給水機構と給米機構が設けられており、加熱板７１には、水投入孔７２、米投入孔７３が設けられており、また、この水投入孔７２、米投入孔７３の開閉を行うための水投入弁７４、米投入弁７５が設置されているのである。これらの水投入弁７４、米投入弁７５の動作は水投入弁駆動レバー７６、米投入弁駆動レバー７７によって動作しているが、この各々のレバーは駆動伝達歯車７８の側面に形成された凸面（網掛け部）により上下運度を行っている。詳しく説明すると、駆動伝達歯車７８側面を中心側７８ａと外周側７８ｂに凸部を設ける。そして水投入弁駆動レバー７６の一端を外周側７８ｂに、米投入弁駆動レバー７７の一端を中心側７８ａに当接するように設置する。そして駆動伝達歯車７８が回転すると、側面の凸部が各投入レバーの一端にきた時に、それぞれのレバーが押し上げられ、もう一端が各投入弁を押し下げ、投入孔が開放するのである。ここで、駆動伝達歯車７８の側面の中心側７８ａと外周側７８ｂの凸部を検知する検知手段である水投入弁開閉検知マイクロスイッチ７９と米投入開閉弁検知マイクロスイッチ８０を設置する。以上のような構成にすることにより、水投入孔７２、米投入孔７３の開閉が検知でき、開閉制御が可能になるのである。つまり各マイクロスイッチが駆動伝達歯車７８の凸部を検知するとＯＮ、凸部以外はＯＦＦになるように設置することで、水投入孔７２が開放、米投入孔７３が閉じた場合は水投入弁開閉検知マイクロスイッチ７９がＯＮ、米投入開閉検知マイクロスイッチ８０はＯＦＦする。また水投入孔７２、米投入孔７３が双方開放するときは、水投入弁開閉検知マイクロスイッチ７９、米投入弁開閉検知マイクロスイッチ８０が両方ともＯＦＦする。と言うように水投入孔７２、米投入孔７３の開閉がどのような組み合わせになろうとも、各々のマイクロスイッチのＯＮ、ＯＦＦの組み合わせにより、検知が可能になり、各投入孔の開閉は自在の操作できるようになるのである。
【００４５】
また、本実施例はマイクロスイッチにて投入孔の開閉を検知する構成を説明したが、マイクロスイッチに限定するのではなく、リードスイッチであろうが、フォトセンサーであろうが検知手段は限定しない。
【００４６】
また、本実施例は各々の投入弁の開閉手段を一つの駆動手段で行うことができる構成を説明したが、駆動手段の数量、方式は問わない。
【００４７】
（実施例３）
自動炊飯器の基本構成、水投入孔９０の開閉手段、米投入孔９１の開閉手段としては、前述の構成と同様のため説明は省略する。図７、８に示すように駆動伝達歯車９２の側面を中心側９２ａと外周側９２ｂに分け、図７、８のように網掛け部を凸形状にし、斜線部は傾斜面として底面部と繋ぐ形状にし、中心側９２ａと外周側９２ｂとで凸になる部分を９０°ずらす形状とする。そして外周側９２ｂに米投入弁駆動レバー９３、中心側９２ａに水投入弁駆動レバー９４を駆動伝達歯車９２の中心に対向するように当接させる。また米投入孔開閉検知マイクロスイッチ９５を米投入弁駆動レバーの当接位置よりも４５°反時計回りに移動させた位置に設置し、水投入孔開閉検知マイクロスイッチ９６を水投入弁駆動レバー９４の当接位置よりも４５°時計回りに移動させた位置に設置する。
【００４８】
以上のような構成にすることで、給水時は図７のように駆動伝達歯車９２が回転し、水投入弁駆動レバー９４の当接位置に凸部がくると、水投入孔９０は開放状態になる。また、この時米投入弁駆動レバー９５は凸部以外の位置で当接しているため、米投入孔９１は閉じた状態になる。これらの位置を検知するために開閉検知マイクロスイッチを設けているが、この時水投入孔弁開閉検知マイクロスイッチ９６はＯＮ、米投入弁開閉検知マイクロスイッチ９５はＯＦＦ状態になっており、各投入孔の開閉の検知は確実にできているのである。
【００４９】
これらのように、給水時に水投入孔９０が開放し、米投入孔９１が閉じる状態にできることで、給水時に鍋（図示しない）への飛び散りや水同士では跳ね返りにより発生する水分を米投入孔９１から内部に浸入することを防ぐことができるのである。
また、米投入時にはさらに駆動伝達歯車９２が回転して、米投入用レバー９７の当接位置に凸形状がきた場合米投入孔９１は開放状態になり、逆に水投入弁駆動レバー９４は凸部以外で当接しているため、水投入孔９０は閉じた状態になる。これらの位置を検知については米投入開閉検知マイクロスイッチ９５がＯＮになり、水投入孔開閉検知マイクロスイッチ９６はＯＦＦになっている為、この位置での開放状態は検知してこの状態になっているのである。
【００５０】
以上のような構成にすることで、米投入時は米投入孔９１を開放し、水投入孔９０を閉じることにより、米投入時に発生する米糠や、砕米が水投入孔９０から内部に侵入することを防止し、給水経路９８内の清潔性を保つことができるのである。
【００５１】
また、炊飯時、保温時、給水時は水投入孔９０を閉じるとしたとすると、言い換えると炊飯時、保温時、給水時以外の工程、例えば、何もしていない待機状態などにおいて水投入孔９０は開放しているということである。このように炊飯、保温、給水以外の待機時などの工程で水投入孔９０が開放しているということは、給水経路（図示しない）の水分を自然乾燥することが出来、給水経路内には常に乾燥しているため、菌などの発生を防ぐことが出来、清潔で安全性の高い炊飯器を提供することができるのである。
【００５２】
また、給水工程において、給水が開始し、所定水量を検知し、給水を停止するが、停止した直後に水投入孔９０を閉じるのではなく、一定時間後に水投入孔９０を閉じるようにしている。このような動作にすることにより、給水を停止した直後には給水経路内には水が存在しているが、これらの水が鍋（図示しない）内に投入完了した後に水投入孔９０を閉じるようにしているのである。このように給水経路９０内の水を完全に鍋内に投入することで、いつも一定量の水が鍋内に投入されることになり、給水量の繰り返しバラツキの誤差が減少し、給水量精度の向上につながる。更に、給水経路９８内に水分を残さないようにできるため、給水経路内の菌の発生をも抑えることができるのである。
【００５３】
【発明の効果】
以上のように、請求項１〜８に記載の発明によれば、給水、給米、炊飯、保温など各工程において米投入弁、水投入弁を自在に開閉することで、各工程における最適な投入弁の開閉状態が可能になり、信頼性、安全性の高い品質の安定した炊飯器を提供することができるのである。
【図面の簡単な説明】
【図１】  本発明の実施例１における自動炊飯器を示す断面図
【図２】  本発明の実施例１における自動炊飯器を示す要部平面図
【図３】  本発明の実施例１における自動炊飯器を示す要部拡大断面図
【図４】  本発明の実施例１における自動炊飯器を示す要部平面図
【図５】  本発明の実施例２における自動炊飯器を示す断面図
【図６】  本発明の実施例２における自動炊飯器を示す要部平面図
【図７】  本発明の実施例３における自動炊飯器を示す要部平面図
【図８】  本発明の実施例３における自動炊飯器を示す要部平面図
【図９】  従来の自動炊飯器の断面図
【符号の説明】
３４、７０  炊飯部
４５  鍋
４６  蓋体
５８、７２、９０  水投入孔
６５、７３、９１  米投入孔
５７、７４  水投入弁
６４、７５  米投入弁
６１  駆動手段（駆動モーター）
４０  制御部
７８、９２  駆動伝達手段（駆動伝達歯車）
６２  駆動伝達手段（水投入弁駆動伝達歯車）
６８  駆動伝達手段（米投入弁駆動伝達歯車）
６３、７６、９４  水投入弁駆動手段（水投入弁駆動レバー）
６７、７７、９３  米投入弁駆動手段（米投入弁駆動レバー）
７９、９６  水投入弁開閉検知手段（水投入弁開閉検知マイクロスイッチ）
８０、９５  米投入弁開閉検知手段（米投入弁開閉検知マイクロスイッチ）
【図１】
0003975821.tif 000002
【図２】
0003975821.tif 000003
【図３】
0003975821.tif 000004
【図４】
0003975821.tif 000005
【図５】
0003975821.tif 000006
【図６】
0003975821.tif 000007
【図７】
0003975821.tif 000008
【図８】
0003975821.tif 000009
【図９】
0003975821.tif 000010